(57)【特許請求の範囲】
【請求項１】
利用者の指示に対して排出すべき媒体を重ねた状態で排出する媒体処理装置において、
排出媒体を重ねた状態に集積する集積部と、
この集積部に集積された排出媒体の端部を外部へ排出する排出部と、
上記集積部に集積された排出媒体を上記排出部まで搬送する搬送手段と、
上記排出部から端部が排出された排出媒体に対する外部からの抜き取り動作を検知する抜取検知手段と、
この抜取検知手段により抜き取り動作が検知された場合に上記排出部より端部が排出された排出媒体を上記搬送手段による排出方向へさらに搬送するよう上記搬送手段を駆動する駆動手段と
を有することを特徴とする媒体処理装置。
【請求項２】
上記駆動手段は、上記集積部に集積された排出媒体を上記排出部まで搬送するよう上記搬送手段を駆動し、排出媒体の端部が上記排出部より排出されると上記搬送手段の駆動を停止し、上記抜取検知手段により抜き取り動作が検知された場合に上記排出部より端部が排出された排出媒体を上記搬送手段による排出方向へさらに搬送するよう上記駆動手段を制御する制御手段を有することを特徴とする請求項１記載の媒体処理装置。
【請求項３】
上記駆動手段は、上記抜取検知手段により抜き取り動作が検知された場合に上記排出部から端部が排出された排出媒体を上記排出部から外部へ完全に放出するまで搬送するよう上記搬送手段を駆動するモータを有することを特徴とする請求項１記載の媒体処理装置。
【請求項４】
利用者の指示に対して排出すべき媒体を重ねた状態で一括して排出する媒体処理装置において、
複数枚からなる排出媒体を重ねた状態に集積する集積部と、
この集積部内の排出媒体の有無を検知する集積媒体検知手段と、
上記集積部に集積された排出媒体の端部を外部へ排出する排出部と、
上記集積部に排出すべき媒体が全て集積されると上記集積部に集積された排出
媒体を上記排出部まで搬送する搬送手段と、
上記排出部より端部が排出された排出媒体の一部あるいは全媒体に対する抜取
り動作に応じて排出媒体が一括して移動するよう上記排出部より端部が排出された排出媒体を押さえ付けて保持する押圧手段と、
上記搬送手段にて上記集積部内の排出媒体を搬送する際に上記集積媒体検知手
段により媒体無しと検知されると、上記集積媒体検知手段の位置から上記押圧手段により押圧され上記排出部から端部が外部へ排出される排出媒体の位置までの予め設定された距離だけ排出媒体を搬送するよう上記搬送手段を駆動する駆動手段と、
を有することを特徴とする紙幣処理装置。
【請求項５】
利用者の指示に対して排出すべき媒体を重ねた状態で排出する媒体処理装置において、
複数枚からなる排出媒体を重ねた状態に集積する集積部と、
この集積部に集積された排出媒体の端部を外部へ排出する排出部と、
上記集積部に排出すべき媒体が全て集積されると上記集積部に集積された排出媒体を上記排出部まで搬送する搬送手段と、
上記排出部より端部が排出された排出媒体の一部あるいは全媒体に対する抜取り動作に応じて排出媒体が一括して移動するよう上記排出部より端部が排出された排出媒体を押さえ付けて保持する押圧手段と、
この押圧手段により保持され上記排出部から端部が排出された排出媒体に対する外部からの抜き取り動作を検知する抜取検知手段と、
この抜取検知手段により抜き取り動作が検知された場合に上記排出部より端部が排出された排出媒体を上記搬送手段による排出方向へさらに搬送するよう上記搬送手段を駆動する駆動手段と
を有することを特徴とする媒体処理装置。
【請求項６】
上記搬送手段を駆動して上記集積部に集積された排出媒体を搬送し、搬送されてきた排出媒体が上記押圧手段にて押さえられ、上記押圧手段で保持された排出媒体の端部が上記排出部より排出されると上記搬送手段の駆動を停止し、上記抜取検知手段により抜き取り動作が検知された場合に上記排出部より端部が排出された排出媒体を上記搬送手段による排出方向へさらに搬送するよう上記駆動手段を制御する制御手段を有することを特徴とする請求項５記載の媒体処理装置。
【請求項７】
上記駆動手段は、上記抜取検知手段により抜き取り動作が検知された場合に上記排出部から端部が排出された排出媒体を上記排出部から外部へ完全に放出するまで搬送するよう上記搬送手段を駆動するモータを有することを特徴とする請求項５記載の媒体処理装置。
【請求項８】
上記抜取検知手段は、上記押圧手段に対して上記搬送手段による排出方向の上流側に設けられ上記押圧手段にて押さえられた排出媒体の有無から抜取り動作を検知するセンサを有することを特徴とする請求項５記載の媒体処理装置。
【請求項９】
排出媒体による上記押圧手段の通過を検知する通過検知手段と、
この通過検知手段により排出媒体の通過が検知されてから予め設定された時間が経過すると上記駆動手段による上記搬送手段の搬送動作を停止するよう制御する制御手段と
を有することを特徴とする請求項５記載の媒体処理装置。
【請求項１０】
上記押圧手段に対して上記搬送手段による排出方向の下流側に設けられ押圧手段付近における排出媒体の有無から排出媒体による上記押圧手段の通過を検知するセンサと、
このセンサの検知信号が紙幣有から紙幣無へと変化してから予め設定された時間が経過すると上記駆動手段による上記搬送手段の搬送動作を停止するよう制御する制御手段と
を有することを特徴とする請求項５記載の媒体処理装置。
【請求項１１】
上記集積部内の排出媒体の有無を検知する集積媒体検知手段と、上記搬送手段にて上記集積部内の排出媒体を搬送する際に上記集積媒体検知手
段により媒体無しと検知されると、上記集積媒体検知手段の位置から上記押圧手段により押圧され上記排出部から端部が外部へ排出される排出媒体の位置までの予め設定された距離だけ排出媒体を搬送するよう上記搬送手段を駆動する制御手段と
を有することを特徴とする請求項５記載の媒体処理装置。
【請求項１２】
利用者による指示に対する釣札あるいは返却のための複数枚からなる排出すべき紙幣を重ねた状態で利用者に対して一括して排出する紙幣処理装置において、
複数枚からなる排出紙幣を重ねて集積する集積部と、
この集積部に集積された排出紙幣の端部を外部へ排出する排出部と、
上記集積部に排出すべき紙幣が全て集積されると上記集積部に集積された排出紙幣を上記排出部まで搬送する搬送手段と、
上記排出部より端部が排出された排出紙幣の一部あるいは全紙幣に対する抜取り動作に応じて排出紙幣が一括して移動するよう上記排出部より端部が排出された排出紙幣を押さえ付けて保持するローラと、
このローラに対して上記搬送手段による排出方向の上流側に設けられ上記ローラにて押さえられた排出紙幣の有無を検知する第１のセンサと、
上記ローラに対して上記搬送手段による排出方向の下流側に設けられ上記ローラ付近における排出紙幣の有無を検知する第２のセンサと、
上記第１のセンサの検知信号が紙幣有から紙幣無へと変化した場合に上記排出部より端部が排出された排出紙幣を上記搬送手段による排出方向へさらに搬送するよう上記搬送手段を駆動し、上記第２のセンサの検知信号が紙幣有から紙幣無へと変化してから予め設定された時間が経過すると上記搬送手段の搬送動作を停止する駆動手段と
を有することを特徴とする紙幣処理装置。
【発明の詳細な説明】
【０００１】
【発明の属する技術分野】
本発明は、例えば駅に設置される券売機に組み込まれる媒体処理装置に係り、詳しくは、複数枚の排出すべき紙幣などの媒体を排出部から一括して排出する媒体処理装置および紙幣処理装置に関する。
【０００２】
【従来の技術】
近年、駅等においては、紙幣等の媒体を取扱うことができる券売機が多数設置されている。通常、この種の券売機に組み込まれた紙幣処理装置においては、釣札や取消ボタンにより返却される返却紙幣を、券購入者が受取り易いように重ねた状態で一括して紙幣返却口から突出させて、券購入者に返却するようになっている。
【０００３】
この様な従来の装置として、特開平６−２６５４０８号公報に記載されているように、返却紙幣の枚数が多くなっても返却紙幣収納箱に紙幣を重ねて水平状態で収納する装置等が考案されている。
【０００４】
【発明が解決しようとする課題】
しかし、従来の装置によれば、返却紙幣収納箱の底部に設けられたマイクロスイッチで返却紙幣収納箱内の紙幣の有無のみを検知しているため、複数枚からなる返却紙幣のうちの一部の紙幣を取り出したとしても、変わらず紙幣有りと検知しており一部の紙幣が取り出されたことを検知することができないという問題がある。そのため、返却紙幣収納箱内の返却紙幣が足りなかった場合に、装置トラブルのため返却紙幣が足りないのか、返却紙幣の一部が既に取り出されて足りないのかを正確に検知できないという問題が生じている。
【０００５】
そこで本発明は、上記欠点を除去し、紙幣などの媒体の一部中抜きを防止し、排出すべき媒体を確実に排出することができる媒体処理装置及び紙幣処理装置を提供することを目的とする。
【０００６】
【課題を解決するための手段】
上記目的を達成するために、本発明の請求項１に係る装置は、利用者の指示に対して排出すべき媒体を重ねた状態で排出する媒体処理装置において、排出媒体を重ねた状態に集積する集積部と、この集積部に集積された排出媒体の端部を外部へ排出する排出部と、上記集積部に集積された排出媒体を上記排出部まで搬送する搬送手段と、上記排出部から端部が排出された排出媒体に対する外部からの抜き取り動作を検知する抜取検知手段と、この抜取検知手段により抜き取り動作が検知された場合に上記排出部より端部が排出された排出媒体を上記搬送手段による排出方向へさらに搬送するよう上記搬送手段を駆動する駆動手段とを有するものである。
【０００７】
上述する請求項１記載の本発明は、利用者の指示に対して排出すべき媒体を重ねた状態に集積し、集積された排出媒体を搬送手段で搬送して、排出部から排出媒体の端部を外部へ排出する際に、抜取検知手段により外部からの抜き取り動作が検知された場合に排出部の排出媒体を搬送手段による排出方向へさらに搬送するよう搬送手段を駆動する。このため、紙幣等の媒体の一部中抜きを防止し、排出媒体を確実に排出することができるという効果を奏する。
【０００８】
また、上記目的を達成するために、本発明の請求項４に係る装置は、利用者の指示に対して排出すべき媒体を重ねた状態で一括して排出する媒体処理装置において、複数枚からなる排出媒体を重ねた状態に集積する集積部と、この集積部内の排出媒体の有無を検知する集積媒体検知手段と、上記集積部に集積された排出媒体の端部を外部へ排出する排出部と、上記集積部に排出すべき媒体が全て集積されると上記集積部に集積された排出媒体を上記排出部まで搬送する搬送手段と、上記排出部より端部が排出された排出媒体の一部あるいは全媒体に対する抜取り動作に応じて排出媒体が一括して移動するよう上記排出部より端部が排出された排出媒体を押さえ付けて保持する押圧手段と、上記搬送手段にて上記集積部内の排出媒体を搬送する際に上記集積媒体検知手段により媒体無しと検知されると、上記集積媒体検知手段の位置から上記押圧手段により押圧され上記排出部から端部が外部へ排出される排出媒体の位置までの予め設定された距離だけ排出媒体を搬送するよう上記搬送手段を駆動する駆動手段と、を有するものである。
【０００９】
上述する請求項４記載の本発明は、利用者の指示に対して排出すべき媒体を重ねた状態で集積部に集積し、集積された排出媒体の有無を集積媒体検知手段で検知し、集積された排出媒体を搬送手段で搬送して、排出部から排出媒体の端部を外部へ排出する際に、排出部の排出媒体の一部あるいは全媒体に対する抜取り動作に応じて排出媒体が一括して移動するよう押圧手段により排出部の排出媒体を押さえ付けて保持し、搬送手段にて集積部内の排出媒体を搬送する際に集積媒体検知手段により媒体無しと検知されると、集積媒体検知手段の位置から押圧手段により押圧され排出部から端部が外部へ排出される排出媒体の位置までの予め設定された距離だけ排出媒体を搬送するよう搬送手段を駆動手段で駆動する。このため、紙幣等の媒体の一部中抜きを防止し、複数枚の排出媒体を確実に排出することができるという効果を奏する。
【００１０】
また、上記目的を達成するために、本発明の請求項５に係る装置は、利用者の指示に対して排出すべき媒体を重ねた状態で排出する媒体処理装置において、複数枚からなる排出媒体を重ねた状態に集積する集積部と、この集積部に集積された排出媒体の端部を外部へ排出する排出部と、上記集積部に排出すべき媒体が全て集積されると上記集積部に集積された排出媒体を上記排出部まで搬送する搬送手段と、上記排出部より端部が排出された排出媒体の一部あるいは全媒体に対する抜取り動作に応じて排出媒体が一括して移動するよう上記排出部より端部が排出された排出媒体を押さえ付けて保持する押圧手段と、この押圧手段により保持され上記排出部から端部が排出された排出媒体に対する外部からの抜き取り動作を検知する抜取検知手段と、この抜取検知手段により抜き取り動作が検知された場合に上記排出部より端部が排出された排出媒体を上記搬送手段による排出方向へさらに搬送するよう上記搬送手段を駆動する駆動手段とを有するものである。
【００１１】
上述する請求項５記載の本発明は、利用者の指示に対して排出すべき媒体を重ねた状態に集積し、集積された排出媒体を搬送手段で搬送して、排出部から排出媒体の端部を外部へ排出する際に、排出部より端部が排出された排出媒体の一部あるいは全媒体に対する抜取り動作に応じて排出媒体が一括して移動するよう押圧手段により排出部の排出媒体を押さえ付けて保持している。そして、抜取検知手段により外部からの抜き取り動作が検知された場合に排出部の排出媒体を搬送手段による排出方向へさらに搬送するよう搬送手段を駆動する。このため、紙幣等の媒体の一部中抜きを防止し、複数枚の排出媒体を確実に排出することができるという効果を奏する。
【００１２】
また、上記目的を達成するために、本発明の請求項１２に係る装置は、利用者による指示に対する釣札あるいは返却のための複数枚からなる排出すべき紙幣を重ねた状態で利用者に対して一括して排出する紙幣処理装置において、複数枚からなる排出紙幣を重ねて集積する集積部と、この集積部に集積された排出紙幣の端部を外部へ排出する排出部と、上記集積部に排出すべき紙幣が全て集積されると上記集積部に集積された排出紙幣を上記排出部まで搬送する搬送手段と、上記排出部より端部が排出された排出紙幣の一部あるいは全紙幣に対する抜取り動作に応じて排出紙幣が一括して移動するよう上記排出部より端部が排出された排出紙幣を押さえ付けて保持するローラと、このローラに対して上記搬送手段による排出方向の上流側に設けられ上記ローラにて押さえられた排出紙幣の有無を検知する第１のセンサと、上記ローラに対して上記搬送手段による排出方向の下流側に設けられ上記ローラ付近における排出紙幣の有無を検知する第２のセンサと、上記第１のセンサの検知信号が紙幣有から紙幣無へと変化した場合に上記排出部より端部が排出された排出紙幣を上記搬送手段による排出方向へさらに搬送するよう上記搬送手段を駆動し、上記第２のセンサの検知信号が紙幣有から紙幣無へと変化してから予め設定された時間が経過すると上記搬送手段の搬送動作を停止する駆動手段とを有するものである。
【００１３】
上述する請求項１２記載の本発明は、複数枚からなる排出紙幣を重ねた状態で集積部に集積し、集積された排出紙幣を搬送手段で搬送して、排出部から排出紙幣の端部を外部へ排出する際に、排出部より端部が排出された排出紙幣の一部あるいは全媒体に対する抜取り動作に応じて排出紙幣が一括して移動するようローラにより排出部から端部が排出された排出紙幣を押さえ付けて保持している。そして、第１のセンサにてローラの排出方向上流側にて紙幣無と検知した場合に排出部より端部が排出された排出紙幣を搬送手段による排出方向へさらに搬送し、第２のセンサにてローラの排出方向下流側にて紙幣無と検知されてから所定時間が経過すると搬送手段の搬送動作を停止する。このため、紙幣等の媒体の一部中抜きを防止し、複数枚の排出紙幣を確実に排出することができるという効果を奏する。
【００１４】
【発明の実施の形態】
以下、本発明の一実施の形態について図面を参照して説明する。図２は、本発明の紙幣処理装置１が組込まれた券売機２を側面から見た状態を概略的に示し、図３は券売機２の接客面２Ａ側から見た状態を示すものである。
【００１５】
券売機２の接客面２Ａには、紙幣３を複数枚一括して投入し得る紙幣投入部４、紙幣返却部５、硬貨を投入する硬貨投入部６、連絡券、回数券、切符等の指定、金額の指定、及び枚数の指定を行うための複数の押し釦を配置してなる操作部７、金額および「発売中止」等を表示する表示部８、乗車券供給部９、および硬貨返却部１０等が配設されたものとなっている。
【００１６】
次に、前記券売機２の制御系を図３にしめす。この制御系は、制御手段としての制御部１１、入金・出金処理部１２、発券処理部１４、メモリ１５、および通信ユニット１６を有する構成となっている。
【００１７】
入金・出金処理部１２は、紙幣処理装置１を含み、硬貨投入部６、紙幣投入部４からの入金処理を行なうとともに、制御部１１の指令に応じた出金処理を行なう。釣り銭等は硬貨返却部１０、紙幣返却部５に放出される。
【００１８】
発券処理部１４は、制御部１１の指令に応じて種々の乗車券を発行する。通信ユニット１６は、前記本体２から離れた場所の駅務センタにおける上位装置（たとえばホストコンピュータ）１７と通信回線によって接続され、当該本体２と上位装置１７との間のデータの送受信を行なう。前記メモリ１５は、上位装置１７から送られる情報等を記憶する。
【００１９】
図１は、紙幣処理装置１の構成を示すものであり、装置本体としての筐体２２のフロント側（図において左側）には、券売機２の接客面２Ａから先端部が突出する状態に形成された前記紙幣投入部４および紙幣返却部５が配設されたものとなっている。
【００２０】
また、筐体２２内の前記紙幣投入部４に対応する位置には、前記紙幣投入部４から複数枚重ねた状態で一括挿入された紙幣３を取込むと共に、順次一枚ずつ分離して筐体２２内上部に配設された鑑別部２４に向けて搬送する紙幣取込み搬送機構２６が設けられている。
【００２１】
鑑別部２４を通過した紙幣３は、筐体２２内の前後方向の略中央部、かつ、上下方向に亘って形成された搬送路２８に送り込まれるようになっている。さらに、筐体２２内には、搬送路２８を挟むようにして各種処理部が配設されている。すなわち、搬送路２８のフロント側に位置して、千円紙幣一次保留部３０、５千円紙幣一次保留部３２、１万円紙幣一次保留部３４が配設されている。
【００２２】
また、搬送路２８のリア側に位置して、紙幣補充カセット３６および紙幣取出し機構３８を有する紙幣補充部４０、千円紙幣２次保留部４２および収納金庫４４を有する千円紙幣金庫ユニット４６、５千円紙幣２次保留部４８および収納金庫５０を有する５千円紙幣金庫ユニット５２、１万円紙幣２次保留部５４および収納金庫５６を有する１万円紙幣金庫ユニット５８が順次設けられている。さらに、１万円紙幣金庫ユニット５８の下方には、リジェクト紙幣収納部６０、満杯紙幣収納部６２が配設されている。また、搬送路２８の下端側は、前記紙幣返却部５に対応して設けられた後述する返却紙幣一括返却部６６に至る搬出路６８と連通した状態となっている。
【００２３】
また、筐体２２内には、紙幣処理装置１の各部のベルト、ローラ、歯車等の駆動源となるモータ７０Ａ、７０Ｂ、７０Ｃ、７０Ｄ、７０Ｅ、７０Ｆ、７０Ｇが配設された状態となっている。なお、筐体２２の上面リア側には、紙幣処理装置１の動作制御を行う制御手段としての制御部７２が設けられている。
【００２４】
つぎに、図５および図６を参照して、上記のように構成された紙幣処理装置１の処理動作の概略について説明する。まず、図５を参照して入金処理動作について説明する。
【００２５】
紙幣投入部４から一括投入された紙幣３…は、紙幣取込み搬送機構２６により筐体２２内に取込まれ、順次一枚ずつ分離して取出され鑑別部２４に送り込まれる。鑑別部２４では、紙幣３の金種や真偽が判別される。鑑別部２４を通過した紙幣３は搬送路２８を搬送され、千円紙幣一次保留部３０、５千円紙幣一次保留部３２、及び１万円紙幣一次保留部３４に一次保留される。（図５の実線矢印参照）
ついで、全ての紙幣３…が所定の一次保留部３０、３２、３４に保留された後、これら、一次保留部３０、３２、３４に保留されていた紙幣３…は、千円紙幣金庫ユニット４６の千円紙幣２次保留部４２、５千円紙幣金庫ユニット５２の５千円紙幣２次保留部４８、及び１万円紙幣金庫ユニット５８の１万円紙幣２次保留部５４に保留され、次の顧客による取引が開始されるまで保留される。（図５の破線矢印参照）
そして、次の顧客による取引が開始されると、各２次保留部４２、４８、５４に保留されていた紙幣３…が、各収納金庫４４、５０、５６に収容される。（図５の一点鎖線矢印参照）また、各金庫ユニット４６、５２、５８の収納金庫４４、５０、５６が満杯になった場合には、満杯紙幣収納部６２に収納されるようになっている。
【００２６】
つぎに、図６を参照して釣札発行および顧客による返却要求が出された場合の返却処理動作について説明する。
釣札発行時には、千円紙幣金庫ユニット４６の収納金庫４４、５千円紙幣金庫ユニット５２の収納金庫５０から必要枚数の紙幣３を取出し、搬送路２８を介して搬出路６８に送り込まれ、返却紙幣一括返却部６６の返却紙幣集積部７４に全ての紙幣３…が保留される。ついで、返却紙幣集積部７４の全紙幣を一括して紙幣返却部５から突出するように移動して紙幣返却部５に返却される。（図６の実線矢印参照）なお、釣札発行時において２枚取りされた紙幣、汚れのひどい紙幣は、リジェクト紙幣収納部６０に回収される。
【００２７】
また、紙幣３…が、各金庫ユニット４６、５２、５８の２次保留部４２、４８、５４に保留された状態において、顧客による返却要求が出された場合には、これら２次保留部４２、４８、５４内の紙幣３…は、搬送路２８に順番に搬出される。（図６の破線矢印参照）そして、前述の釣札発行時と同様にして返却紙幣一括返却部６６の返却紙幣集積部７４に収容され、紙幣返却部５に返却される。
【００２８】
また、例えば千円紙幣金庫ユニット４６の紙幣３が少なくなった場合には、紙幣補充部４０に装填した紙幣補充カセット３６から千円紙幣３を取出して搬送路２８に搬出される。（図６の一点鎖線印参照）そして、前述の入金処理時と同様にして２次保留部４２を介して収納金庫４４に収容されるものとなっている。
【００２９】
次に、本発明の要部である前記返却紙幣一括返却部６６の構成について、図７乃至図９を参照して説明する。図７に示すように、前記返却紙幣一括返却部６６には、搬出路６８より搬送された排出すべき返却紙幣３を立位状態で一時集積する集積部としての返却紙幣集積部７４が設けられている。この返却紙幣集積部７４の中央部には返却紙幣集積部７４内における紙幣３の有無を検知する集積紙幣（媒体）検知手段としてのセンサ７５が設けられている。また、返却紙幣集積部７４の上方、下方には紙幣搬送用ローラ７６が設けられており、返却紙幣集積部７４に立位状態で集積された紙幣３と平行になるよう搬送ベルト７７が掛け渡されている。そして、返却紙幣集積部７４の下方にある紙幣搬送用ローラ７６に当接した駆動ローラ７９をモータ８０により回転させることにより、紙幣搬送用ローラ７７を駆動する。
【００３０】
図８、図９に示すように、返却紙幣集積部７４を挟んで搬送ベルト７７に対向する位置には、搬送用テンションローラ８２が設けられており、ソレノイド８３を励磁することにより搬送用テンションローラ８２が搬送ベルト７７側へ移動して、立位状態の集積紙幣３を搬送ベルト７７へ押し付けるようになっている。
【００３１】
また、図７に示すように、返却紙幣集積部７４の上端から紙幣返却部５の間には、返却紙幣集積部７４に集積された紙幣３を紙幣返却部５へ搬送する搬送手段としての搬送ベルト８４、８６が設けられている。この搬送ベルト８４、８６は、紙幣返却部５に対向する位置に設けられたプーリ８４ａ、８６ａと、返却紙幣集積部７４の上方位置に設けられたプーリ８４ｂ、８６ｂとに夫々掛け渡されている。プーリ８６ｂは駆動手段としてのモータ８７に接続されており、搬送ベルト８６はモータ８７により駆動され、搬送ベルト８４はモータ８７に駆動された搬送ベルト８６に従動する。
【００３２】
そして、図８、図９に示すように、前記ソレノイド８３を励磁すると、テンションローラ８８が移動してプーリ８６ｂに当接し、返却紙幣集積部７４の集積紙幣３を搬送ベルト８４、８６の間に送り込み、上方に配設された搬送ベルト８４と下方に配設された搬送ベルト８６とで送り込まれた紙幣３を挟持して、紙幣返却部５へ搬送するようになっている。
【００３３】
また、上方に位置する搬送ベルト８４の紙幣返却部５寄りの中央部には搬送されてきた集積紙幣３を搬送ベルト８６に対して押し付けている押圧手段としての返却用テンションローラ９０が設けられている。この返却用テンションローラ９０による重圧により外部からの抜取り動作に応じて押さえ付けている集積紙幣が一括して移動するようになっている。そのため、紙幣返却部５の集積紙幣３の一部の紙幣のみを抜き出そうとした場合でも、すべての集積紙幣３が一括して移動するようになっている。
【００３４】
また、この返却用テンションローラ９０の返却紙幣集積部７４側（返却紙幣の搬送方向の上流側）には返却用テンションローラ９０付近の紙幣の有無を検知して外部（利用者）からの抜取り動作を検知するための抜取検知手段（又は第１のセンサ）としてのセンサ９２が設けられている。返却用テンションローラ９０の紙幣返却部５側（返却紙幣の搬送方向の下流側）にはプーリ８４ａ、８６ａ近傍における紙幣の有無を検知して紙幣の通過を検知するための通過検知手段（又は第２のセンサ）としてのセンサ９３が設けられている。
【００３５】
次に、本発明の要部である前記返却紙幣一括返却部６６における紙幣返却（排出）の制御動作について、図１０のフローチャートを参照して説明する。前述した紙幣の返却処理動作により、図７に示すように前記返却紙幣一括返却部６６の返却紙幣集積部７４に返却紙幣３が全て一時集積されると（ＳＴ１０）、制御部１１はソレノイド８３を励磁する。
【００３６】
図８に示すように、ソレノイド８３の励磁に伴い、紙幣搬送用テンションローラ８２は搬送ベルト７７側へ移動し、搬送ベルト７７と紙幣搬送用テンションローラ８２との間で返却紙幣集積部７４の集積紙幣３を挟みこむ。また、ソレノイド８３の励磁に伴い、テンションローラ８８はプーリ８６ｂ側へ移動し、プーリ８６ｂに当接する（ＳＴ１２）。
【００３７】
次に、制御部１１はモータ８０を駆動して駆動ローラ７９を回転させ、搬送ベルト７７および紙幣搬送用テンションローラ８２により、挟持している返却紙幣集積部７４内の集積紙幣３を一括して上方に搬送する。また、モータ８７を駆動してプーリ８６ｂを回転させ、テンションローラ８８とプーリ８６ｂとの間に搬送されてきた集積紙幣３を一括して紙幣返却部５側へ搬送する（ＳＴ１４）。
【００３８】
この返却紙幣集積部７４内の集積紙幣を搬送する際に、返却紙幣３の後端がセンサ７５を通過すると、センサ７５の検知信号が暗から明へ変化して、返却紙幣集積部７４内の集積紙幣なしを検知する（ＳＴ１６）。ＳＴ１６にて検知信号が暗から明に変化すると、制御部１１は予め設定された所定時間だけモータ８０、８７を回転し、紙幣３が予め設定された所定距離（本実施形態では、センサ７５の位置から紙幣返却口８側へ１２０ｍｍ）だけ集積紙幣を搬送するとモータ８０、８７を停止する（ＳＴ１８）。そして、図８に示すように、返却用テンションローラ９０にて全ての集積紙幣が一括して紙幣返却部５へ搬送されるよう搬送ベルト８６に対して押し付けられた状態で、センサ９２、９３の検知信号が暗状態のまま、利用者による紙幣の抜き取りの待機状態となる（ＳＴ２０）。
【００３９】
ここで、利用者により紙幣返却部５の集積紙幣の一部あるいは全部が引っ張られると、返却用テンションローラ９０の重圧により全ての集積紙幣３が一括して紙幣返却部５側へ引っ張られる（ＳＴ２２）。そして、利用者に引っ張られた集積紙幣３の後端がセンサ９２を通過すると、センサ９２の検知信号が暗から明へ変化して、返却用テンションローラ９０より装置奥側に集積紙幣がないことを検知する（ＳＴ２４）。ＳＴ２４にて検知信号が暗から明に変化すると、制御部１１はモータ８７を回転して搬送ベルト８４、８６にて集積紙幣をさらに紙幣返却部５側へ搬送する（ＳＴ２６）。
【００４０】
そして、紙幣返却部５側へ搬送された集積紙幣の後端がセンサ９３を通過すると、センサ９３の検知信号が暗から明へ変化して、紙幣返却部５近傍に集積紙幣がないことを検知する（ＳＴ２８）。ＳＴ２８にて検知信号が暗から明に変化すると、制御部１１は予め設定された所定時間だけモータ８７を回転し、紙幣返却部５の集積紙幣を全て装置外へ排出して、モータ８７を停止するようになっている（ＳＴ３０）。
【００４１】
本実施の形態では、紙幣返却部から返却紙幣を集積して一括返却する際に、返却用テンションローラにて集積紙幣を搬送ベルトに押し付けた構成となっている。このため、利用者が返却紙幣の一部を引張ったとしても、集積紙幣は返却用テンションローラの重圧により一括して移動するので、排出媒体としての紙幣は一部中抜けすることなく、確実に利用者のもとへ全ての返却紙幣（排出媒体）を排出することができる。
【００４２】
また、本実施形態では、返却用テンションローラ近傍における紙幣の有無を検知するセンサにて、紙幣返却部から一括返却した集積紙幣が引っ張られることによる移動を検知している。上記センサの検知信号が紙幣有りから紙幣なしに変化すると、返却紙幣が引き抜かれている状態であると判定し、紙幣返却部５の集積紙幣を全て装置外へ排出するようになっている。これより、利用者による返却紙幣の回収動作（返却紙幣を引張る動作）に伴って、複数枚の返却紙幣を確実に利用者のもとへ一括して返却することができる。また、利用者による返却紙幣の回収動作（返却紙幣を引張る動作）をセンサにて検知すると、集積紙幣を一括して装置外へ排出するため、意図的な媒体の一部中抜きを防止することができる。
【００４３】
【発明の効果】
以上説明したように、本発明によれば、紙幣等の媒体の中抜きを防止し、媒体を確実に排出することができるという効果を奏する。
【図面の簡単な説明】
【図１】本発明に係る媒体処理装置としての紙幣処理装置１の一実施形態の構成を概略的に示す側断面図。
【図２】紙幣処理装置１が組み込まれた券売機２の外観構成を概略的に示した側面図。
【図３】券売機２の外観構成を示す正面図。
【図４】券売機２の全体的な構成を概略的に示すブロック図。
【図５】紙幣処理装置１の一実施形態における紙幣入金動作状態を示す説明図。
【図６】紙幣処理装置１の一実施形態における紙幣返却動作状態を示す説明図。
【図７】紙幣処理装置１の要部である返却紙幣一括返却部６６の構成を概略的に示す側断面図。
【図８】紙幣処理装置１の要部である返却紙幣一括返却部６６の構成を概略的に示す側断面図。
【図９】紙幣処理装置１の要部である返却紙幣一括返却部６６の構成を概略的に示す側断面図。
【図１０】紙幣処理装置１の返却紙幣一括返却部６６における紙幣返却（排出）時の動作状態を説明するフローチャート図。
【符号の説明】
１    紙幣処理装置
２    券売機
３    紙幣（集積紙幣、返却紙幣）
４    紙幣投入部
５    紙幣返却部
６６    返却紙幣一括返却部
７４    返却紙幣集積部
７５、９２、９３    センサ
７７、８４、８６    搬送ベルト
８０、８７    モータ
８２    搬送用テンションローラ
８３    ソレノイド
８８    テンションローラ
９０    返却用テンションローラ
【図１】
0003952530.tif 000002
【図２】
0003952530.tif 000003
【図３】
0003952530.tif 000004
【図４】
0003952530.tif 000005
【図５】
0003952530.tif 000006
【図６】
0003952530.tif 000007
【図７】
0003952530.tif 000008
【図８】
0003952530.tif 000009
【図９】
0003952530.tif 000010
【図１０】
0003952530.tif 000011